(57)【要約】  【課題】  停止爪付スプリングを加工の簡単な線材から形成し、スプリングはガイド溝への突出および上方への可動を規制する自動停止装置付スライダーを提供する。  【解決手段】  スライダーは胴体３、引手４、停止爪付スプリング５から形成し、スプリング５は同一断面形状の線材を単に切断、曲げ加工によって、上片２５と下片２６とからなる倒Ｕ字状に形成し、下片２６の先端に停止爪２７を設け、胴体３には前側取付部１５と後側取付部１６を設け、各取付部に収容溝１１を設けてスプリング５を収容して上片２５に固定し、爪孔２０の壁面上に停止爪２７の突出量規制部１２を設けて爪片２８の基部を弾接させて規制し、後側取付部１６に取り付けた上片２５の裏面で爪片２８の上方への可動を規制する品質的に優れた自動停止機構を備えたスライダーである。  【選択図】  図９
2006102286.tif 000002
【特許請求の範囲】
【請求項１】
胴体３、引手４、停止爪付スプリング５から形成したスライダー１において、胴体３に線材Ａからなる停止爪付スプリング５を取付部１０に固定し、該停止爪付スプリング５の一端にエレメントガイド溝１９へ出没する停止爪２７を先端に設けた爪片２８を形成し、停止爪２７がエレメントガイド溝１９へ突出するのを規制する突出量規制部１２を胴体３に設けるとともに、停止爪２７の上方への可動を規制する可動規制部１３を設けてなることを特徴とする自動停止装置付スライドファスナー用スライダー。
【請求項２】
停止爪付スプリング５は、長さ方向に略同一断面形状の線材Ａから形成してなる請求項１記載の自動停止装置付スライドファスナー用スライダー。
【請求項３】
胴体３に設置する突出量規制部１２は、胴体３から停止爪付スプリング５へ向けて突出し、停止爪付スプリング５と弾接可能に形成してなる請求項１記載の自動停止装置付スライドファスナー用スライダー。
【請求項４】
突出量規制部１２は、停止爪２７をエレメントガイド溝１９へ出没させる爪孔２０の壁面上へ突出してなる請求項３記載の自動停止装置付スライドファスナー用スライダー。
【請求項５】
停止爪付スプリング５は、上下で対向する上片２５と下片２６とからなる略倒Ｕ字状に形成し、胴体３に設置する取付部１０は停止爪付スプリング５を収容する収容溝１１を設け、該収容溝１１の両側の側壁１７の上端部を収容溝１１の内方へ傾倒させ上片２５を狭持固定してなる請求項１記載の自動停止装置付スライドファスナー用スライダー。
【請求項６】
停止爪付スプリング５を収容する収容溝１１は、両側壁１７に内方へ突出する棚部１８を設け、該棚部１８は両側壁１７が傾倒したときに停止爪付スプリング５の上片２５を載置してなる請求項５記載の自動停止装置付スライドファスナー用スライダー。
【請求項７】
胴体３に設置する取付部１０は、前側取付部１５と後側取付部１６とから形成し、前側取付部１５と後側取付部１６とはそれぞれ収容溝１１を設け、停止爪付スプリング５の上片２５の後端を下方へ屈曲して挿入片３０を形成し、後側取付部１６に挿入片３０を挿入し保持する保持部２３を形成してなる請求項５記載の自動停止装置付スライドファスナー用スライダー。
【請求項８】
胴体３に設置する取付部１０は、前側取付部１５と後側取付部１６とから形成し、前側取付部１５と後側取付部１６とはそれぞれ停止爪付スプリング５を収容する収容溝１１を設け、後側取付部１６は前側取付部１５よりも胴体３の上下方向の高さを低く形成してなる請求項１記載の自動停止装置付スライドファスナー用スライダー。
【請求項９】
胴体３に設置する取付部１０は、前側取付部１５と後側取付部１６とから形成し、前側取付部１５と後側取付部１６とはそれぞれ停止爪付スプリング５を収容する収容溝１１を設け、前側取付部１５は後側取付部１６よりも胴体３の前後方向の長さを長く形成してなる請求項１記載の自動停止装置付スライドファスナー用スライダー。
【請求項１０】
停止爪付スプリング５は、前後に爪片２８と係止片２９とを対設して全体が略倒コ字状に形成し、前側取付部１５に収容溝１１を設け、該収容溝１１に縦孔２１を設けて係止片２９を挿入可能に形成し、該縦孔２１に係止部２２を設けて係止片２９を固定し、収容溝１１の両側の側壁１７の上端部を収容溝１１の内方へ屈曲してなる請求項１記載の自動停止装置付スライドファスナー用スライダー。
【発明の詳細な説明】
【技術分野】
【０００１】
この発明は、自動ロック機構を備えた通常タイプのスライダー、また隠しタイプのスライダーの双方に活用できる自動停止装置付スライドファスナー用スライダーに関するものである。
【背景技術】
【０００２】
従来の自動ロック機構を備えた通常タイプのスライダーは、図１６に示すように、胴体、引手、停止爪付スプリングから形成し、停止爪付スプリングは胴体に対する取り付け位置を定めるため、スプリングの横幅を種々異なる形状にステンレス鋼板などを打抜いた後、曲折して停止爪付スプリングを形成する。形成された停止爪付スプリングは胴体上に立設された前方取付部および後方取付部間に引手の枢軸を配置し、その上方から停止爪付スプリングを前後の取付部間に配置するとともに、先端の停止爪を胴体上に穿った爪孔に挿入して取付部に固定した自動停止装置付スライドファスナー用スライダーが知られている。
【０００３】
次に自動ロック機構を備えた隠しタイプのスライダーは、図１７に示すように、胴体、引手、連結環、停止爪付スプリングから形成し、停止爪付スプリングは胴体に対する取り付け位置を定めるため、スプリングの横幅を種々異なる形状にステンレス鋼板などを打抜いた後、曲折して停止爪付スプリングを形成する。形成された停止爪付スプリングを引手に取り付けられた連結環の挿通孔に挿通し、この状態で胴体上に立設した前方取付部および後方取付柱に停止爪付スプリングを配するとともに、胴体に設けた爪孔に先端の停止爪を挿入して取付部および取付柱に固定した自動停止装置付スライドファスナー用スライダーが知られている。
【特許文献１】米国特許第３７９３６８４号明細書
【特許文献２】中華民国専利公告第２４６７８１号公報
【発明の開示】
【発明が解決しようとする課題】
【０００４】
前項で述べた図１６，１７に示した通常タイプおよび隠しタイプの自動停止装置付スライドファスナー用スライダーは、共に停止爪付スプリングがその長さ方向に均一幅でなく横幅が種々異なる形状にスプリングを打抜き加工したものであり、停止爪付スプリングを簡単に作製することは難しく、また打抜き屑が生じ、材料を無駄に使いコスト高になる傾向がある。さらに胴体には停止爪付スプリングに設置した停止爪のエレメントガイド溝への突出を一定量に規制するための突出量規制部がなく、ロック機構が不安定で有効にロック機能を発揮できないなど問題点がある。
【０００５】
この発明は、上述の問題点を考慮して発明されたものであり、この発明のうち請求項１記載の発明は、胴体、引手、停止爪付スプリングから形成したスライダーにおいて、停止爪付スプリングを加工の簡単な線材から形成して胴体に取り付け、停止爪付スプリングの先端に設けた停止爪をエレメントガイド溝へ一定量突出するように規制し、また停止爪付スプリングの上方への可動を規制する品質的に優れた自動停止機構を備えたスライダーを安価に、しかも簡易に作製できる自動停止装置付スライドファスナー用スライダーを提供することが主たる目的である。
【０００６】
請求項２記載の発明は、請求項１記載の発明の目的に加え、停止爪付スプリングは長さ方向に略同一断面形状の長尺の線材から形成でき、停止爪付スプリングの作製が簡易かつ安価にできる自動停止装置付スライドファスナー用スライダーを提供することが目的である。
【０００７】
請求項３および４記載の発明は、請求項１記載の発明の目的に加え、線材から形成された停止爪付スプリングの停止爪をきわめて安定した状態で胴体に設けた爪孔から一定量エレメントガイド溝へ突出させることができる自動停止装置付スライドファスナー用スライダーを提供することが目的である。
【０００８】
請求項５および６記載の発明は、請求項１記載の発明の目的に加え、停止爪付スプリングの上片と下片とを略倒Ｕ字状に形成した停止爪付スプリングを胴体に設置した取付部に安定した状態で収容するとともに、停止爪付スプリングの作動を円滑かつ容易に行えるように上片を固定したタイプの自動停止装置付スライドファスナー用スライダーを提供することが目的である。
【０００９】
請求項７記載の発明は、請求項５記載の発明の目的に加え、停止爪付スプリングにおける上片の後端を下方へ屈曲した形態に形成し、この停止爪付スプリングを胴体に設置した後側の取付部へ安定した状態で取り付けたタイプの自動停止装置付スライドファスナー用スライダーを提供することが目的である。
【００１０】
請求項８記載の発明は、請求項１記載の発明の目的に加え、胴体に取り付ける停止爪付スプリングの上方への移動量を少なくし、過剰な変形を胴体の後側取付部によって防止できるタイプの自動停止装置付スライドファスナー用スライダーを提供することが目的である。
【００１１】
請求項９記載の発明は、請求項１記載の発明の目的に加え、胴体に取り付ける停止爪付スプリングの弾性作用部分が他物と接触して破損するのを胴体の前側取付部が防ぎ保護できるタイプの自動停止装置付スライドファスナー用スライダーを提供することが目的である。
【００１２】
請求項１０記載の発明は、請求項１記載の発明の目的に加え、スプリングを構成する爪片と係止片とを略倒コ字状に形成し、停止爪付スプリングにおける係止片を胴体の前側に設置した取付部に簡易に取り付け、安定した状態で弾発力が発揮できるタイプの自動停止装置付スライドファスナー用スライダーを提供することが目的である。
【課題を解決するための手段】
【００１３】
前記の目的を達成するため、この発明のうち請求項１記載の発明は、スライダー１が胴体３、引手４、停止爪付スプリング５から形成し、胴体３に線材Ａから形成した停止爪付スプリング５を取付部１０に固定し、この停止爪付スプリング５の一端に胴体３のエレメントガイド溝１９へ弾発的に出没する停止爪２７を先端に備えた爪片２８を形成し、停止爪２７がエレメントガイド溝１９へ突出するのを一定量に規制することができる突出量規制部１２を胴体３に設けるとともに、停止爪２７が上方へ可動または揺動するのを規制することができる可動規制部１３を設けた自動停止装置付スライドファスナー用スライダーを主な構成とするものである。
【００１４】
請求項２記載の発明は、請求項１記載の発明の構成に加え、停止爪付スプリング５は、断面長方形、円形、楕円などの線材Ａをその長さ方向に略同一断面形状に形成した自動停止装置付スライドファスナー用スライダーである。
【００１５】
請求項３記載の発明は、請求項１記載の発明の構成に加え、胴体３に設置する停止爪７の突出量を規制する規制部１２は、胴体３から停止爪付スプリング５に向けて突出または隆起する形に形成し、停止爪付スプリング５が弾接できるように形成した自動停止装置付スライドファスナー用スライダーである。
【００１６】
請求項４記載の発明は、請求項３記載の発明の構成に加え、胴体３に設置する停止爪２７の突出量を規制する規制部１２は、停止爪２７をエレメントガイド溝１９へ出没させる爪孔２０の壁面の上方へ引手４の枢軸８下端よりも突出または隆起する形に形成した自動停止装置付スライドファスナー用スライダーである。
【００１７】
請求項５記載の発明は、請求項１記載の発明の構成に加え、停止爪付スプリング５は、停止爪付スプリング５自体が上下で対向する上片２５と下片２６とからなる略倒Ｕ字状に形成し、胴体３に設置する停止爪付スプリング５を取り付けるための取付部１０が、停止爪付スプリング５を収容することができる収容溝１１から形成し、この収容溝１１の両側の側壁１７の上端部を収容溝の内方へ向けて加圧し、この上端部が傾斜状に倒れ込むように塑性変形させることで、両側壁が上片２５を挟持し固定した自動停止装置付スライドファスナー用スライダーである。
【００１８】
請求項６記載の発明は、請求項５記載の発明の構成に加え、停止爪付スプリング５を収容する収容溝１１は、収容溝１１内の両側の側壁１７に収容溝の内方へ向かって一定量突出する棚部１８を設け、収容溝の両側の側壁の上端部を傾倒させた時に、棚部１８上に停止爪付スプリング５の上片２５を載置させた自動停止装置付スライドファスナー用スライダーである。
【００１９】
請求項７記載の発明は、請求項５記載の発明の構成に加え、胴体３に設置する停止爪付スプリング５を取り付ける取付部１０は、胴体３の前方に設けた前側取付部１５と、胴体３の後方に設けた後側取付部１６とから形成し、前側取付部１５と後側取付部１６はそれぞれ収容溝１１を設け、停止爪付スプリング５における上片２５の後端を下方へ屈曲して挿入片３０を形成し、一方胴体３の後方に設けた後側取付部１６に停止爪付スプリング５の挿入片３０を挿入し保持することができる保持部２３を設けて挿入片３０を保持部２３に固定した自動停止装置付スライドファスナー用スライダーである。
【００２０】
請求項８記載の発明は、請求項１記載の発明の構成に加え、胴体３に設置する停止爪付スプリング５を取り付ける取付部１０は、胴体３の前方に設けた前側取付部１５と、胴体３の後方に設けた後側取付部１６とから形成し、前側取付部１５と後側取付部１６とはそれぞれ停止爪付スプリング５を収容する収容溝１１を設け、後側取付部１６は前側取付部１５よりも胴体３の上下方向に起立する高さを低く形成した自動停止装置付スライドファスナー用スライダーである。
【００２１】
請求項９記載の発明は、請求項１記載の発明の構成に加え、胴体３に設置する停止爪付スプリング５を取り付ける取付部１０は、胴体３の前方に設けた前側取付部１５と、胴体３の後方に設けた後側取付部１６とから形成し、前側取付部１５と後側取付部１６とはそれぞれ停止爪付スプリング５を収容する収容溝１１を設け、前側取付部１５は後側取付部１６よりも胴体３の前後方向に延びる長さを長く形成した自動停止装置付スライドファスナー用スライダーである。
【００２２】
請求項１０記載の発明は、請求項１記載の発明の構成に加え、停止爪付スプリング５は、停止爪付スプリング５の前後に爪片２８と係止片２９とが対向し、全体が略コ字状に形成し、胴体３の前方の前側取付部１５における上側に収容溝１１を設け、この収容溝１１に縦方向に穿った縦孔２１を設け、この縦孔２１に係止片２９を挿入できるように形成し、縦孔２１に孔内へ傾倒する係止部２２を設け、停止爪付スプリング５の係止片２９の先端を屈曲などして係止部２２に固定し、収容溝１１の上縁を内方へ屈曲して停止爪付スプリング５の可動を規制する可動規制部１３を形成した自動停止装置付スライドファスナー用スライダーである。
【発明の効果】
【００２３】
この出願の発明の効果として、請求項１記載の発明は、胴体、引手、停止爪付スプリングから形成したスライダーにおいて、胴体に線材からなる停止爪付スプリングを取付部に固定し、該停止爪付スプリングの一端にエレメントガイド溝へ出没する停止爪を先端に設けた爪片を形成し、停止爪がエレメントガイド溝へ突出するのを規制する突出量規制部を胴体に設けるとともに、停止爪付スプリングの上方への可動を規制する可動規制部を設けたことによって、下記の効果を奏する。
【００２４】
停止爪付スプリングを加工が簡単な線材から形成でき、停止爪付スプリングの先端に設けた停止爪をエレメントガイド溝へ必要以上に突出するのを積極的に防いで、円滑かつ的確にストップ機能が発揮でき、また停止爪付スプリングの上方への可動または揺動を必要以上に可動するのを防いで、引手の引っ張り操作が簡易に行え、品質的に優れた自動停止装置付スライダーを安価にしかも容易に作製できる効果がある。
【００２５】
請求項２記載の発明は、請求項１記載の発明の効果に加え、停止爪付スプリングは、長さ方向に略同一断面形状の線材で形成したことによって、断面長方形、円形、楕円などの連続上の長尺線材を単に所定長さ毎に切断し、その後曲げ加工するのみによって停止爪付スプリングを形成するので、廃材が生じず、停止爪付スプリングをきわめて安価に作製できる効果がある。
【００２６】
請求項３および４記載の発明は、請求項１記載の発明の効果に加え、胴体に設置する突出量規制部は、停止爪をエレメントガイド溝へ出没させる爪孔の壁面上へ突出し、停止爪付スプリングと弾接可能に形成したことによって、停止爪の突出を一定量に規制する突出量規制部が爪孔に近接して設けられ、停止爪付スプリングが常に突出量規制部と弾接状態となり、停止爪のエレメントガイド溝への突出量を安定して確保できる効果がある。
【００２７】
請求項５および６記載の発明は、請求項１記載の発明の効果に加え、停止爪付スプリングは、上下で対向する上片と下片とからなる略倒Ｕ字状に形成し、胴体に設置する取付部は停止爪付スプリングを収容する収容溝を設け、該収容溝の両側の側壁を収容溝の内方へ傾倒させ上片を狭持固定したこと、また収容溝の両側壁に収容溝の内方へ突出する棚部を設け、収容溝の両側の側壁の上端部が傾倒したときに、棚部が上片を載置したことによって、略Ｕ字状に形成した停止爪付スプリングの上片のみを安定した状態で狭持固定したので、停止爪付スプリングの下片は自由に弾発することができ円滑に弾発機能を発揮することができる効果がある。
【００２８】
請求項７記載の発明は、請求項５記載の発明の効果に加え、胴体に設置する取付部は、前側取付部と後側取付部とから形成し、前側取付部と後側取付部とはそれぞれ収容溝を設け、停止爪付スプリングの上片の後端を下方へ屈曲して挿入片を形成し、後側取付部に挿入片を挿入し保持する保持部を形成したことによって、停止爪付スプリングの上片の端部を胴体の後方において安定した状態で取り付け、胴体に対する停止爪付スプリングの前後方向の位置決めを行うことができる効果がある。
【００２９】
請求項８記載の発明は、請求項１記載の発明の効果に加え、胴体に設置する取付部は、前側取付部と後側取付部とから形成し、前側取付部と後側取付部とはそれぞれ停止爪付スプリングを収容する収容溝を設け、後側取付部は前側取付部よりも胴体の上下方向の高さを低く形成したことによって、停止爪の上方に向けての可動が可動規制部にて規制されるまでの移動量を少なくし、弾性変形する許容範囲内に可動規制部を配置することができ、停止爪付スプリングの過剰な変形を防止できる効果がある。
【００３０】
請求項９記載の発明は、請求項１記載の発明の効果に加え、胴体に設置する取付部は、前側取付部と後側取付部とから形成し、前側取付部と後側取付部とはそれぞれ停止爪付スプリングを収容する収容溝を設け、前側取付部は後側取付部よりも胴体の前後方向の長さを長く形成したことによって、前側取付部が停止爪付スプリングにおける弾発力の作用部分の大部分を収容し、この作用部分に外部の他物が接触して変形や破損の発生を防ぎ、安定した弾発力を長期にわたり確保することができる効果がある。
【００３１】
請求項１０記載の発明は、請求項１記載の発明の効果に加え、停止爪付スプリングは、前後に爪片と係止片とを対設して全体が略倒コ字状に形成し、前側取付部に収容溝を設け、該収容溝に縦孔を設けて係止片を挿入可能に形成し、該縦孔に係止部を設けて係止片を固定し、収容溝の両側の側壁の上端部を収容溝の内方へ屈曲したことによって、倒コ字状に形成した停止爪付スプリングの一端を胴体の前方側において安定した状態で固定し、円滑に弾発機能を発揮でき、かつ上方への可動を簡単に規制できる効果があるなど、この発明が奏する効果はきわめて顕著である。
【発明を実施するための最良の形態】
【００３２】
この発明の自動停止装置付スライドファスナー用スライダーは、ロック機構を備えたスライダー１であって、スライダー１は胴体３、引手４、停止爪付スプリング５から構成され、胴体３、引手４は亜鉛合金、アルミニウム合金などの金属をダイカスト成形手段により成形し、停止爪付スプリング５は、ステンレス鋼などの連続する長尺な線材をその長さ方向に所定長さ毎に切断した後、曲げ加工することによって形成する。
【００３３】
通常タイプのスライダー１の胴体３は、上翼板３１と下翼板３２とを案内柱３３で連結し、上翼板３１の両側にフランジ３４を曲設してエレメントガイド溝１９を形成し、上翼板３１の前後に停止爪付スプリング５を取り付けることができる取付部１０としての前側取付部１５と後側取付部１６を立設し、この取付部１０には停止爪付スプリング５を収容することができる収容溝１１を設け、この収容溝１１の両側の側壁１７の上端部を収容溝１１の内方へ向けて加圧して、傾倒するように塑性変形させてＵ字状の停止爪付スプリング５を両側壁１７で挟持固定する。
【００３４】
隠しタイプのスライダー１の胴体３は、下翼板３２の前端に案内柱３３を立設し、この案内柱３３上の中央から後方へ向けて上翼板３１を延設し、下翼板３２の両側に¬型形状のフランジ３４を立設してエレメントガイド溝１１を設け、案内柱３３の上方に停止爪付スプリング５を取り付ける取付部１０としての前側取付部１５を設け、上翼板３１の後端側に取付部１０としての後側取付部１６を立設する。前側取付部１５と後側取付部１６には停止爪付スプリング５を収容することができる収容溝１１を設け、この収容溝１１の両側の側壁１７の上端部を収容溝の内方へ向けて加圧し、傾倒させるように塑性変形させて停止爪付スプリング５を両側壁１７で挟持固定する。
【００３５】
隠しタイプのスライダー１について詳述すると、停止爪付スプリング５は、連続する断面長方形の線材Ａをその長さ方向に所定長さ毎に切断加工することによって一端に停止爪２７が形成されるように形成し、この切断された線材ＡをＵ字状に曲げ加工することによって曲折し、この停止爪付スプリング５を横方向へ倒伏して取付部１０に配するため、停止爪付スプリング５は上片２５と下片２６に形成し、下片２６の一端に下方へ曲折した爪片２８を設け、その先端に停止爪２７を形成し、また上片２５の一端を下方へ曲折して挿入片３０を形成する。作製された停止爪付スプリング５は、その切断端部へ向けて断面形状を漸次小さくした部分すなわち停止爪２７と挿入片３０とがあるものの、その長さ方向に略同一断面形状であり、本質的に切断前の線材Ａの断面形状と同一断面形状である。
【００３６】
取付部１０は、案内柱３３の上方に中央縦方向に空隙状の収容溝１１を凹設して前側取付部１５を形成し、この収容溝１１の側壁１７に収容溝１１の内方へ向けて突出する棚部１８を設け、両側壁１７が傾倒したときに停止爪付スプリング５の上片２５と下片２６の間に入り込んで、上片２５を載置できるように形成する。後側取付部１６には停止爪付スプリング５の爪片２８を挿入できる爪孔２０を穿設し、この爪孔２０の前方の壁面を上方へ突出隆起させて停止爪２７の突出量を規制する突出量規制部１２を形成する。爪孔２０の後方には停止爪付スプリング５の挿入片３０を挿入して保持し固定できる保持部２３を形成し、この保持部２３は停止爪付スプリング５の幅で凹設した挿入部２４と、この挿入部２４と爪孔２０との間に配設され、収容溝１１の内方へ向けて突出する突起３５とから形成する。
【００３７】
スライダー１の組立ては、胴体３の前側取付部１５と後側取付部１６との間の凹部３９に引手４に連結した連結環７の枢軸８を配し、その上方から停止爪付スプリング５を載置して爪孔２０に爪片２８を挿入し、停止爪２７の先端をエレメントガイド溝１９へ突出させ、停止爪付スプリング５の湾曲部分を前側取付部１５の収容溝１１に収容し、上片２５の先端の挿入片３０を後側取付部１６の収容溝１１内に設けた挿入部２４に挿入し、各収容溝１１における両側の側壁１７を収容溝１１の内方へ向けて加圧し、傾倒するように塑性変形させるとともに、前側取付部１５における棚部１８がスプリング５の上片２５の下側に位置するように変位して上片２５を載置する状態で、上片２５を両側壁１７で挟持固定してスライダー１を組み立てる。
【００３８】
組み立てられたスライダー１は、引手４を引っ張ると連結環７の枢軸８によって、停止爪付スプリング５の下片２６を持ち上げ、爪片２８の曲折部分が固定された停止爪付スプリング５の上片２５の下側すなわち裏側へ当接し、停止爪２７の上方への可動を規制する可動規制部１３を形成する。また引手４を自由状態に解放すると停止爪付スプリング５の下片２６と共に爪片２８が下方へ弾発し、爪片２８が爪孔２０の前方の壁面上に突出隆起した突出量規制部１２に弾接して、停止爪２７を必要以上に突出させずに一定量だけエレメントガイド溝１９へ突出させることによって停止爪２７をファスナーエレメント間に挿入してスライダー１の摺動を自動的に停止させる。
【実施例１】
【００３９】
図１〜９に示す実施例１の自動停止装置付スライドファスナー用スライダーは、隠しタイプのスライダー１であって、胴体３は下翼板３２の前端に案内柱３３を立設、この案内柱３３の上面中央から後方へ向けて漸次細幅となる上翼板３１を延設し、下翼板３２の両側に下翼板３２から垂直に起立する垂直部分と、垂直部分の先端から下翼板３２と平行に延びる水平部分とからなる¬型形状のフランジ３４を立設して案内柱３３との間にファスナーエレメントをガイドするエレメントガイド溝１９を設ける。案内柱３３の上方に停止爪付スプリング５を取り付けるための取付部１０としての前側取付部１５を立設し、また上翼板３１の後端側に停止爪付スプリング５を取り付けるための取付部１０としての後側取付部１６を、前側取付部１５との間に間隙をおいて立設し、この間隙部分に凹部３９を設けて引手４の枢軸８を載置できるように形成する。前側取付部１５と後側取付部１６とは胴体３の前後方向に長さが異なり、後側取付部１６は短く、前側取付部１５は後側取付部１６に比べ長く形成されている。また前側取付部１５と後側取付部１６とは胴体３の上下方向に高さが異なり、前側取付部１５は高く形成され、後側取付部１６は前側取付部１５に比べ低く形成されている。
【００４０】
前側取付部１５は上面の中央縦方向に停止爪付スプリング５を収容する空隙状の収容溝１１を凹設し、この収容溝１１の底部は湾曲状に窪み、両側の側壁１７には収容溝１１の内方へ向けて突出する段状の棚部１８を設ける。この棚部１８は、側壁１７を傾倒するように塑性変形させる以前は、収容溝１１に収容された停止爪付スプリング５を載置することなく、停止爪付スプリング５の側縁よりも外側に位置するように形成される。また後側取付部１６も中央縦方向に空隙状の収容溝１１を凹設し、収容溝１１の前端にエレメントガイド溝１９へ通ずる停止爪付スプリング５の爪片２８を挿通する爪孔２０を穿設し、爪片２８の先端に設けた停止爪２７をエレメントガイド溝１９へ突出させる。この爪孔２０の前方の壁面を上方へ突出し隆起する形に形成して、停止爪付スプリング５の停止爪２７がエレメントガイド溝１９へ突出する突出量を一定量に規制する突出量規制部１２を設け、停止爪付スプリング５の爪片２８上部の屈曲部分が弾接するように形成する。また爪孔２０の後方における収容溝１１の側壁１７に図７に示すように収容溝１１の内方へ向けて突出する突起３５を設け、この突起３５と収容溝１１の後壁４１との間に停止爪付スプリング５の挿入片３０を挿入することができる挿入部２４を設け、突起３５と後壁４１とによって挿入片３０を保持できる保持部２３を形成する。後側取付部１６の収容溝１１は左右の両側壁１７と後壁４１とで３方向が囲まれ、他物が後側取付部１６の外部から爪孔２０内に挿通する爪片２８へ接触することを防いでいる。
【００４１】
停止爪付スプリング５は、図２に示すように長さ方向に連続する断面長方形の線材Ａを所定長さ毎で停止爪２７が形成されるように、切断加工することによって切断し、その後この線材Ａを曲げ加工することによって、図３に示すように停止爪付スプリング５は略倒Ｕ字状に曲折した湾曲部分と、湾曲部分を介して連結する上片２５と下片２６とを形成し、上片２５の先端を下方へ曲折して挿入片３０を形成し、一方下片２６の先端にも下方へ曲折して爪片２８を設け端部に停止爪２７を形成する。この停止爪２７は、線材Ａをその切断端部へ向けて断面形状を漸次小さくするように切断することで形成される。一方、線材Ａの停止爪２７を形成した端部とは反対側の切断端部は停止爪２７の形状を除いた残りの形状を有し、この部分を停止爪付スプリング５の挿入片３０としている。よって、線材Ａは停止爪付スプリング５を作製するために全ての部分が用いられ、廃棄する部分は全く発生しない。なお線材Ａは断面円形あるいは楕円であってもよく、停止爪２７の断面形状は停止爪付スプリング５の他の部分と同一であってもよい。
【００４２】
引手４は、図１に示すように先端にＣ形の連結部３８を備えた長方体状の摘み体３７から形成し、連結部３８に角形環状のクランパーすなわち連結環７を回動自在に取り付ける。なお、引手４はクランパーを用いずに短冊形の引手の先端に枢軸８を設けた引手４であってもよい。
【００４３】
スライダー１の組み立ては、胴体３上に形成した前側取付部１５と後側取付部１６との間に設けた凹部３９内に引手４の先端に回動自在に取り付けた連結環７の枢軸８を配置し、その上方から枢軸８を被覆する形で、停止爪付スプリング５を載置して爪孔２０に爪片２８を挿入し、停止爪２７の先端をエレメントガイド溝１９へ突出させ、停止爪付スプリング５の湾曲部分を前側取付部１５の収容溝１１に収容する。長尺な前側取付部１５は、その収容溝１１に湾曲部分２９および湾曲部分２９につながる下片２６の大部分を収容するので、停止爪付スプリング５の弾性変形の作用部分となる湾曲部分２９と下片２６とが外部の他物と接触することから確実に防止することができる。このとき、図５に示すように停止爪付スプリング５の上片２５と下片２６の両側縁が棚部１８よりも収容溝１１の内側に位置するように配し、上片２５の先端の挿入片３０を図７に示すように後側取付部１６の収容溝１１に設けた挿入部２４に挿入する。
【００４４】
この後、各収容溝１１における両側の側壁１７の上端部を図６および図８に示すように収容溝１１の内方へ加圧することで、側壁１７の上端部を傾斜状に倒れ込ませる形に塑性変形させて上片２５の側縁を左右から挟持する。
【００４５】
前側取付部５においては、側壁１７の上端部が図５に示した折曲基点部位４０を基準として収容溝１１の内方側に傾倒するとともに、棚部１８が収容溝１１の内側に移動して、上片２５の側縁を越えて停止爪付スプリング５の上片２５と下片２６との間に入り込み、上片２５の下方に位置して上片２５を載置する状態となり、側壁１７の上端部と棚部１８とで上片２５の上下面を上下から挟持する。
【００４６】
一方、停止爪付スプリング５の下片２６は、側壁１７や棚部１８により挟持固定されないようにして、自由に可動できるようにする。
【００４７】
組み立てられたスライダー１は、引手４を引っ張ると図９に示すように爪片２８を引き上げて屈曲部分を鎖線で示すように、後側取付部１６の側壁１７に固定された停止爪付スプリング５の上片２５の下面すなわち裏側に当接し、それ以上の引き上げ動作はできない。従って、この部分が停止爪付スプリング５の停止爪２７の上方への可動を阻止し規制するので、可動規制部１３を構成する。上片２５における後側取付部１６に固定された部分が可動規制部１３となるので、下片２６が強い力で引き上げられ、爪片２８又は下片２６が上片２５と衝突しても、上片２５は後側取付部１６により支持されて変形することがなく、安定した可動規制機能を果たすことができる。また、後側取付部１６は前側取付部１５よりも胴体３の上下方向における高さが低く形成されているので、上片２５は前側取付部１５から後側取付部１６に向けて下り傾斜し、上片５の後側取付部１６での固定位置が前側取付部１５での固定位置よりも低い位置となる。これにより、爪片２８の屈曲部分が上片２５の下面に当接するまでの移動距離を短くでき、停止爪２７の上方への可動限界位置を停止爪付スプリング５が長期にわたって安定した弾発力を発揮するための弾性変形の許容範囲内に配置することができる。引手４を解放すると停止爪付スプリング５は下動し、下片２６が図９に示すように、胴体３に突設した突出量規制部１２に弾接し、停止爪２７はそれ以上エレメントガイド溝１９への突出を規制される。なお、突出量規制部１９の配設位置は本実施例に限定されず、収容溝１１の底部に設けてもよい。
【実施例２】
【００４８】
図１０に示す実施例２の自動停止装置付スライドファスナー用スライダーは、隠しタイプのスライダー１であって、胴体３には前側取付部１５と後側取付部１６とを立設し、前側取付部１５は前記実施例１と同様に収容溝１１を設け、収容溝１１の底部は湾曲状に窪み、両側壁１７は収容溝１１の内方へ向けて突出する棚部１８を設ける。後側取付部１６は外観形状は前例と同様であるが、爪孔２０の後方の壁面は垂直面に形成し、爪孔２０の前壁は上方へ突出隆起させて突出量規制部１２を形成するとともに、図１１に示すように収容溝１１の両側の側壁１７における上端部を収容溝１１の内方へ向けて屈曲して停止爪付スプリング５の停止爪２７の上方への可動を規制する可動規制部１３を形成する。後側取付部１６は前側取付部１５よりも胴体３より起立する高さが低く形成されており、引手４の枢軸８で下片２６を持ち上げたとき、爪片２８の屈曲部分が可動規制部１３に当接することで停止爪２７の上動が規制される。前側取付部１５と後側取付部１６との間に凹部３９を凹設して引手４の枢軸８を載置する。
【００４９】
停止爪付スプリング５は、前例の略倒Ｕ字状に形成した上片２５を短くして、前側取付部１５の収容溝１１内に配置できる大きさに形成し、下片２６は前例と同様に先端側を屈曲して爪片２８を設け、その先端に停止爪２７を設ける。停止爪付スプリング５は上片２５を前側取付部１５における収容溝１１の両側の側壁１７を収容溝１１の内方へ向けて加圧し、傾倒するように塑性変形させて上片２５を挟持固定し、また、側壁１７の傾倒にともない、棚部１８を上片２５の下側に位置するように移動させ、棚部１８が上片２５を載置する状態とし、下片２６の先端側の爪片２８を爪孔２０に挿入し停止爪２７をエレメントガイド溝１９へ突出させて爪片２８の屈曲部分を突出量規制部１２に弾接させた隠しタイプのスライダー１である。
【実施例３】
【００５０】
図１２，１３に示す実施例３の自動停止装置付スライドファスナー用スライダーは、隠しタイプのスライダー１であって、胴体３に設ける前側取付部１５における収容溝１１の底部分は略水平状に形成し、収容溝１１の前端側に案内柱３３の内部に延びる縦孔２１を設け、後側取付部１６は縦方向に爪孔２０をエレメントガイド溝１９に通ずる形に設け、前側取付部１５と後側取付部１６との間に凹部３９を設けるとともに、爪孔２０の前方の壁面を上方へ突出隆起させて突出量規制部１２を形成する。停止爪付スプリング５は前後において爪片２８と係止片２９とが対向する形で全体が略倒コ字状に形成し、係止片２９の下端は外向きに傾斜させて固定部３６を形成するとともに、爪片２８の先端に停止爪２７を設ける。
【００５１】
停止爪付スプリング５の配置は、停止爪付スプリング５の係止片２９を縦孔２１に挿入し、縦孔２１の下端をにおいて案内柱３３の前面の一部をその前方側から押圧して縦孔２１の内方へ傾倒させて固定部３６とを係合する係止部２２を形成する。収容溝１１の両側壁１７の上端部を収容溝１１の内方へ向けて加圧して、屈曲するように塑性変形させ、停止爪付スプリング５の脱出を阻止する。前側取付部１５は後側取付部１６よりも胴体３の前後方向に延びる長さが長く形成されており、その収容溝１１内に係止片２９側の停止爪付スプリング５の大部分を収容している。また後側取付部１６における収容溝１１の両側の側壁１７の上端部を収容溝１１の内方へ向けて屈曲するように塑性変形させて停止爪付スプリング５の脱出を阻止するとともに、停止爪付スプリング５の停止爪２７が上方へ可動した際に当接して、それ以上の可動を規制する可動規制部１３を形成した隠しタイプのスライダー１である。
【実施例４】
【００５２】
図１４，１５に示す実施例４の自動停止装置付スライドファスナー用スライダーは、通常タイプのスライダー１であって、胴体３は上翼板３１と下翼板３２とを案内柱３３によって連結し、上翼板３１の両側縁に下翼板３２へ向けて突出するフランジ３４を設けてエレメントガイド溝１９を形成する。上翼板３１の上面の前後に前側取付部１５と後側取付部１６を立設し、両取付部１５，１６に収容溝１１を設け、かつ収容溝１１の両側の側壁１７の内面に棚部１８を突設する。後側取付部１６の基部に爪孔２０をエレメントガイド溝１９へ通ずるように穿設し、爪孔２０の前方の壁面を上方へ突出隆起させて突出量規制部１２を設けるとともに、前側取付部１５と後側取付部１６との間に引手４の枢軸８を載置できる凹部３９を形成する。
【００５３】
停止爪付スプリング５は、倒Ｕ字状に形成して上片２５と下片２６とを設け、上片２５の先端は下方へ屈曲し後側取付部１６の収容溝１１に内在させる。また下片２６の先端側に爪片２８を屈曲して設け、爪片２８の先端に停止爪２７を設ける。停止爪付スプリング５の配置は、凹部３９に引手４の枢軸８を配し、その上方から停止爪付スプリング５を前側取付部１５と後側取付部１６との収容溝１１内へ収容し、図１５に示すように両側の側壁１７を収容溝１１の内方へ向けて加圧し、傾倒するように塑性変形させて停止爪付スプリング５の上片２５を挟持固定するとともに、側壁１７が傾倒したときに上片２５の下側位置に棚部１８が移動し、棚部１８が上片２５を載置する状態とする。一方、停止爪付スプリング５の下片２６は自由に可動できる形に形成するとともに、下片２６の先端に設けた停止爪２７の上方への可動を上片２５の裏側に接触させて阻止し、この部分が停止爪付スプリング５の停止爪２７の可動を規制する可動規制部１３を構成した通常タイプのスライダー１である。
【産業上の利用可能性】
【００５４】
この発明の自動停止装置付スライドファスナー用スライダーは、胴体、引手、停止爪付スプリングから形成し、停止爪付スプリングを長さ方向において同一断面形状の線材を切断、曲げ加工することのみで安価に作製し、隠しタイプまた通常タイプの自動停止機構を備えたスライダーとして衣服をはじめあらゆる製品に使用することができる。
【図面の簡単な説明】
【００５５】
【図１】自動停止装置付スライドファスナー用スライダーの分解斜視図である。
【図２】線材から停止爪付スプリングを作製する手段を説明した説明図である。
【図３】同上線材から形成した停止爪付スプリングの斜視図である。
【図４】自動停止装置付スライドファスナー用スライダーの分解断面図である。
【図５】停止爪付スプリングを前側取付部の収容溝に収容する状態を示す断面図である。
【図６】停止爪付スプリングを前側取付部の収容溝に固定した状態を示す断面図である。
【図７】停止爪付スプリングを後側取付部の収容溝に収容した状態を示す断面図である。
【図８】図７におけるＢ−Ｂ断面図である。
【図９】自動停止装置付スライドファスナー用スライダーの断面図である。
【図１０】第２実施例の可動規制部を示す部分断面図である。
【図１１】図１０におけるＣ−Ｃ断面図である。
【図１２】第３実施例の自動停止装置付スライドファスナー用スライダーの断面図である。
【図１３】同上スライダーの停止爪付スプリングの斜視図である。
【図１４】第４実施例の自動停止装置付スライドファスナー用スライダーの断面図である。
【図１５】図１４におけるＤ−Ｄ断面図である。
【図１６】公知の自動停止装置付スライドファスナー用スライダーの分解斜視図である。
【図１７】他の公知の自動停止装置付スライドファスナー用スライダーの分解斜視図である。
【符号の説明】
【００５６】
１            スライダー
３            胴体
４            引手
５            停止爪付スプリング
１０            取付部
１１            収容溝
１２            突出量規制部
１３            可動規制部
１５            前側取付部
１６            後側取付部
１７            側壁
１８            棚部
１９            エレメントガイド溝
２０            爪孔
２１            縦孔
２２            係止部
２３            保持部
２５            上片
２６            下片
２７            停止爪
２８            爪片
２９            係止片
３０            挿入片
Ａ              線材
【図１】
2006102286.tif 000003
【図２】
2006102286.tif 000004
【図３】
2006102286.tif 000005
【図４】
2006102286.tif 000006
【図５】
2006102286.tif 000007
【図６】
2006102286.tif 000008
【図７】
2006102286.tif 000009
【図８】
2006102286.tif 000010
【図９】
2006102286.tif 000011
【図１０】
2006102286.tif 000012
【図１１】
2006102286.tif 000013
【図１２】
2006102286.tif 000014
【図１３】
2006102286.tif 000015
【図１４】
2006102286.tif 000016
【図１５】
2006102286.tif 000017
【図１６】
2006102286.tif 000018
【図１７】
2006102286.tif 000019